(57)【特許請求の範囲】
【請求項１】
室内機に供給された電源を電源配線を介して室外機に供給し、前記室内機に、基準周波数取出回路と、室内機整流回路と、室内機制御部とを設けてなる空気調和機において、
商用電源を前記室内機整流回路と、前記室内機制御部とに接続する一方、室外機に電源を供給する電源配線に、パワーリレーと、前記基準周波数取出回路とを接続し、待機状態時、前記パワーリレーが開放されることにより前記基準周波数取出回路が非通電状態となることを特徴とする空気調和機。
【請求項２】
前記商用電源から電源が投入された際、前記パワーリレーの接点が、前記室内機制御部により一旦、閉じられ、前記基準周波数取出回路が作動して信号を送出した後、再び開放されることを特徴とする請求項１に記載の空気調和機。
【発明の詳細な説明】
【技術分野】
【０００１】
本発明は、空気調和機に係わり、より詳細には、待機状態時の待機電力を低減する構成に関する。
【背景技術】
【０００２】
従来の空気調和機の電装系統は、例えば図４で示すように構成されている。図４で示す空気調和機３０は、室内機３１と室外機３２とからなり、前記室内機３１には、異電圧検出回路４と、基準周波数取出回路７と、室内機整流回路５と、室内機制御部６と、パワーリレー８が設けられており、前記室外機３２には、インバータ制御回路１２と、室外機整流回路１１と、室外機制御部１３と、基準周波数取出回路１９が設けられている。又、前記室内機３１には、商用電源３から電源が供給されるようになっており、供給された電源は、同室内機３１を介して電源配線１０により前記室外機３２に供給されるようになっている。
【０００３】
前記商用電源３は、前記室内機３１の異電圧検出回路４と、基準周波数取出回路７と、室内機整流回路５とに順次接続され、供給された電力は、まず前記異電圧検出回路４により正規電圧かどうか検査され、続いて前記基準周波数取出回路７により周波数を検出されるようになっている。次に、前記室内機整流回路５により交流から直流に変換され、変換された直流は前記室内機制御部６に供給されるようになっている。
【０００４】
前記室内機制御部６は、リモートコントローラ１７からの信号を受信部１６を介して授受するようになっており、起動信号を授受すると前記パワーリレー８を閉じ、前記電源配線１０を介して室外機３２に電源を供給し、冷房あるいは暖房運転を開始させるようになっている。又、前記基準周波数取出回路７は前記商用電源３からの交流電源の周波数を基準動作周波数として、前記室内機制御部６に送出するようになっている。
【０００５】
しかしながら、前記室内機制御部６及び前記受信部１６には、リモートコントローラ１７からの信号を受信するため、常時、待機電力が印加されており、又、前記基準周波数取出回路７と前記室内機整流回路５にも、これに併せて常時、待機電力が印加されるようになっていた。これにより、点線内は所謂待機電力印加ゾーン３３となっており、常時、電力が消費されることにより、省エネルギ性向上に対し妨げとなっていた。
【０００６】
又、特許文献１に開示されているように、室外機に、電源周波数検出部とインバータとインバータ周波数決定部とを設け、室内機にインバータ要求周波数発生部を設けた技術が提示されている。前記電源周波数検出部は、電源から供給される交流電源の周波数を検出する一方、検出された周波数を基準動作周波数として前記インバータ周波数決定部に送出するようになっており、前記インバータ要求周波数発生部は、要求する周波数を前記インバータ周波数決定部に送出するようになっている。同インバータ周波数決定部は、前記電源周波数検出部で検出された周波数は５０Ｈｚであった場合、前記インバータ要求周波数発生部から要求された周波数に対し、補正値を加算してインバータを制御するようになっており、周波数の違いによる運転能力に差を生じさせないようになっている。しかしながら、前記電源周波数検出部には、運転の待機状態時、電源が常時供給されるようになっており、待機電力削減に対し妨げとなっていた。
【０００７】
【特許文献１】特開平１１−１０１５１６号（３頁、図１）
【発明の開示】
【発明が解決しようとする課題】
【０００８】
本発明は、上記問題点に鑑み、待機状態時の待機電力を低減して省エネルギ性を向上させた空気調和機を提供することを目的とする。
【課題を解決するための手段】
【０００９】
本発明は、上記課題を解決するため、室内機に供給された電源を電源配線を介して室外機に供給し、前記室内機に、基準周波数取出回路と、室内機整流回路と、室内機制御部とを設けてなる空気調和機において、商用電源を前記室内機整流回路と、前記室内機制御部とに接続する一方、室外機に電源を供給する電源配線に、パワーリレーと、前記基準周波数取出回路とを接続し、待機状態時、前記パワーリレーが開放されることにより前記基準周波数取出回路が非通電状態となる構成となっている。又、前記商用電源から電源が投入された際、前記パワーリレーの接点が、前記室内機制御部により一旦、閉じられ、前記基準周波数取出回路が作動して信号を送出した後、再び開放される構成となっている。
【発明の効果】
【００１０】
本発明によると、室内機に、室内機制御部と、異電圧検出回路と、基準周波数取出回路と、室内機整流回路と、パワーリレーとを設け、商用電源を前記異電圧検出回路を介して前記室内機整流回路と、前記室内機制御部とに接続する一方、室外機に電源を供給する電源配線に前記室内機制御部に開閉制御される前記パワーリレーを設け、更に同電源配線を分岐して前記基準周波数取出回路を接続することにより、前記商用電源から電源が投入された際、前記室内機制御部が前記パワーリレーを短時間閉じて、前記電源周波数検出回路を作動させ、交流電源の周波数を検出した後、再び前記パワーリレーを開放することにより、空気調和機の待機状態時、前記基準周波数取出回路は非通電状態となり、これにより、待機電力を削減でき、より省エネ性を高めた空気調和機とすることができるようになっている。
【発明を実施するための最良の形態】
【００１１】
以下、本発明の実施の形態を、添付図面に基づいた実施例として詳細に説明する。
【実施例１】
【００１２】
図１は本発明による空気調和機の電装系統を示すブロック図であり、図２は待機状態での待機電力印加ゾーンを示すブロック図である。又、図３は一連の動作状態を示すフローチャートである。
【００１３】
本発明による空気調和機は、セパレートタイプの空気調和機であり、室内機１と室外機２とから構成されている。図１のブロック図で示すように、前記室内機１には商用電源３から電源が供給されるようになっており、供給された電源は、電源配線１０を介して前記室外機２に供給されるようになっている。
【００１４】
前記室内機１内には、電装系統として、室内機制御部６と、異電圧検出回路４と、基準周波数取出回路７と、室内機整流回路５と、パワーリレー８とが設けられ、又、図示はしていないが、前記室内機１内部には、機械系統として室内熱交換器と室内送風ファンとが設けられており、外部には、運転の状態を表示する表示部及びリモートコントローラ１７からの信号を受信し、受信した信号を前記室内機制御部６に送出する受信部１６が設けられている。
【００１５】
前記室外機２内には、電装系統として、室外機制御部１３と、インバータ制御回路１２と、室外機整流回路１１と、基準周波数取出回路１９とが設けられ、又、同室外機２内部には、図示はしていないが、機械系統として、圧縮機と、室外熱交換器と、室外送風ファン等が設けられている。前記室外機整流回路１１は、前記電源配線１０を介して前記室内機１から供給された交流電源を直流に変換して前記室外機制御部１３及び前記インバータ制御回路１２に供給するようになっており、同インバータ制御回路１２は、前記圧縮機のモータ、及び前記室外送風ファンのファンモータ等を駆動するようになっている。又、基準周波数取出回路１９は前記電源配線１０から供給される交流電源の周波数を基準動作周波数として、前記室外機制御部１３に送出するようになっている。
【００１６】
前記商用電源３に接続された電源配線９は、前記室内機１の異電圧検出回路４を介して前記室内機整流回路５に接続され、同室内機整流回路５から前記室内機制御部６に接続されるようになっている。前記商用電源３と前記異電圧検出回路４との間の前記電源配線９からは、前記室外機２に電源を供給する電源配線１０が分岐され、同電源配線１０には、前記パワーリレー８が設けられるとともに、同電源配線１０からの分岐線により前記基準周波数取出回路７が接続されるようになっている。又、前記室内機制御部６と前記パワーリレー８との間には、信号線１５が接続されており、前記室内機制御部６からの信号により前記パワーリレー８の接点が開閉されるようになっている。
【００１７】
前記異電圧検出回路４は、室内のコンセントに前記電源配線９のプラグを接続した際、前記商用電源３から供給される電力が、機器仕様に適合した電圧かどうかを検出するようになっており、例えば、使用電圧が１００Ｖ仕様の空気調和機に、誤って２００Ｖの電圧が印加されたような場合、これを検知して、室内機の表示部等に備えられた警告ランプを点灯させたり、ブザーから警告音を発するようになっている。空気調和機の設置業者は、これら警告が発せられたら、コンセントからプラグを引き抜いて空気調和機への電源供給を遮断するようになっている。前記基準周波数取出回路７は、前記商用電源３から供給される交流電源の周波数が、例えば５０Ｈｚか６０Ｈｚのいずれかであるかを検出する一方、空気調和機が運転状態となった場合は、前記商用電源３からの交流電源の周波数を基準動作周波数として、前記室内機制御部６に継続的に送出するようになっている。前記室内機制御部６は、前記リモートコントローラ１７からの信号を前記受信部１６を介して授受し、起動信号を授受すると前記パワーリレー８の接点を閉じて、前記電源配線１０を介し室外機２に電源を供給し、圧縮機を起動させて、冷房あるいは暖房運転を開始させるようになっている。
【００１８】
前記リモートコントローラ１７からの信号を受信するため、冷房あるいは暖房運転を行っていない状態でも、前記室内機制御部６には電源が供給される状態、所謂待機電力状態の必要性があるが、図２の点線で示す、所謂待機電力消費ゾーン１８には、前記室内機整流回路５と、前記室内機制御部６と、前記受信部１６は含まれるが、前記基準周波数取出回路７には待機電力は供給されないようになっている。同基準周波数取出回路７に待機電力を供給した場合、０．２Ｗ程度の電力が常時、消費されるが、これを供給しないことにより、待機電力を削減することができるようになっている。
【００１９】
次に、動作について説明する。図３のフローチャートで示すように、前記商用電源３から交流電源が投入されると（ＳＴＥＰ１）、前記異電圧検出回路４は投入された交流電源が正規電圧かどうかチェックするようになっており（ＳＴＥＰ２）、正規電圧でない場合は、上記したように、室内機の表示部等に備えられた警告ランプを点灯させたり、ブザーから警告音を発するようになっている（ＳＴＥＰ３）。正規電圧の場合は、前記室内機整流回路５により交流から直流に変換され、変換された直流は前記室内機制御部６に供給されるようになっている（ＳＴＥＰ４）。
【００２０】
前記室内機制御部６に電源が投入されると、同室内機制御部６は前記信号線１５に信号を送出して、前記パワーリレー８の接点を極短時間の間、閉じＯＮ状態とさせるようになっている（ＳＴＥＰ５）。前記パワーリレー８がＯＮされると、前記基準周波数取出回路７が作動し、前記商用電源３から供給される交流電源の周波数を検出して、検出した情報を前記室内機制御部６に送出するようになっている（ＳＴＥＰ６）。周波数が検出されると、再び前記パワーリレー８の接点が開放され、ＯＦＦ状態にする（ＳＴＥＰ７）。
【００２１】
上記した一連の動作の後、前記室内機制御部６と、前記室内機整流回路５と、前記受信部１６のみに待機電力が供給される待機状態となる（ＳＴＥＰ７）。リモートコントローラ１７からの起動信号が前記受信部１６により受信され、前記室内機制御部６に送出されると、同室内機制御部６は前記信号線１５により信号を送出して前記パワーリレー８の接点を閉じＯＮ状態とする。これにより、前記電源配線１０を介して前記室外機２に電源が供給され（ＳＴＥＰ１０）、再び、前記基準周波数取出回路７が前記商用電源３から供給される交流電源の周波数情報を前記室内機制御部６に継続して送出するようになっている（ＳＴＥＰ１１）。これにより圧縮機が駆動されて冷房運転あるいは暖房運転が開始されるようになっている（ＳＴＥＰ１２）。冷房運転あるいは暖房運転が停止されると（ＳＴＥＰ１３）、商用電源がＯＦＦかどうかが検出され（ＳＴＥＰ１４）、ＯＦＦでない場合は待機状態に戻り、ＯＦＦの場合は、終了状態となるようになっている。
【００２２】
上記したように、待機状態時、前記室内機制御部６と、前記室内機整流回路５と、前記受信部１６のみに待機電力を供給し、前記基準周波数取出回路７は非通電状態となることにより、同基準周波数取出回路７が消費する０．２Ｗ程度の待機電力を削減でき、より省エネ性を高めた空気調和機とすることができるようになっている。
【図面の簡単な説明】
【００２３】
【図１】本発明による空気調和機の電装系統を示すブロック図である。
【図２】待機状態での待機電力印加ゾーンを示すブロック図である。
【図３】一連の動作を示すフローチャートである。
【図４】従来の空気調和機の電装系統を示すブロック図である。
【符号の説明】
【００２４】
１  室内機
２  室外機
３  商用電源
４  異電圧検出回路
５  室内機整流回路
６  室内機制御部
７  基準周波数取出回路
８  パワーリレー
９  電源配線
１０  電源配線
１１  室外機整流回路
１２  インバータ制御回路
１３  室外機制御部
１４  信号線
１５  信号線
１６  受信部
１７  リモートコントローラ
１８  待機電力消費ゾーン
１９  基準周波数取出回路
【図１】
0004483800.tif 000002
【図２】
0004483800.tif 000003
【図３】
0004483800.tif 000004
【図４】
0004483800.tif 000005